(57)【特許請求の範囲】
【請求項１】
タービンとコンプレッサとを連結したシャフトと、
前記シャフトを回動可能に支持する軸受部を有する軸受ハウジングと、
前記シャフトと前記軸受部との間に介装されるすべり軸受と、
を具備するターボチャージャーであって、
前記軸受部はアルミニウム系材料で形成され、
前記シャフトは鉄鋼材料で形成され、
前記すべり軸受は銅系材料で形成され、
前記軸受ハウジングは、
前記シャフトの軸線方向において一側となる前記タービン側に配置されると共に、前記軸線方向の一側部において前記タービンを内包するタービンハウジングと固定されるタービン側ハウジングと、
前記軸線方向において他側となる前記コンプレッサ側に配置されるコンプレッサ側ハウジングと、
に分割され、
前記タービン側ハウジングはステンレス鋼により形成され、
前記軸受部は前記コンプレッサ側ハウジングに形成され、
前記タービン側ハウジングの前記軸線方向の他側部と前記コンプレッサ側ハウジングの前記軸線方向の一側部との間には、金属ガスケットが介装され、
冷却水を供給するための冷却水路をさらに具備し、
前記冷却水路は、
前記タービン側ハウジングと前記コンプレッサ側ハウジングとに亘るように、前記金属ガスケットを跨いで形成される、
ターボチャージャー。
【請求項２】
前記タービン側ハウジングの前記軸線方向の他側部及び前記コンプレッサ側ハウジングの前記軸線方向の一側部は、互いに平行な平面に形成され、互いに対向する部分の間を亘るように前記金属ガスケットが配置される、
請求項１に記載のターボチャージャー。
【発明の詳細な説明】
【技術分野】
【０００１】
本発明は、内燃機関に設けられるターボチャージャーの技術に関する。
【背景技術】
【０００２】
従来、内燃機関に設けられるターボチャージャーの技術は公知となっている。例えば、特許文献１に記載の如くである。
【０００３】
特許文献１に記載のターボチャージャーは、排気ガスによって駆動されるタービンと、吸入空気を圧縮するコンプレッサと、を連結するシャフトを、軸受ハウジングによって回転可能に支持している。また、軸受ハウジングとシャフトとの間にはすべり軸受が介装され、当該シャフトを滑らかに回転させるように構成されている。
【０００４】
しかし、ターボチャージャーのシャフトのように高速回転する部位にすべり軸受を用いた場合、軸受ハウジングとすべり軸受とのクリアランス、及びすべり軸受とシャフトとのクリアランスが狭いため、当該部位においてホワール振動が発生する場合がある。また、ホワール振動が発生すると、当該ホワール振動に起因して騒音（異音）が発生する場合がある。
【先行技術文献】
【特許文献】
【０００５】
【特許文献１】特開平９−３１０６２０号公報
【発明の概要】
【発明が解決しようとする課題】
【０００６】
本発明は以上の如き状況に鑑みてなされたものであり、その解決しようとする課題は、ホワール振動を低減させることができるターボチャージャーを提供するものである。
【課題を解決するための手段】
【０００７】
本発明の解決しようとする課題は以上の如くであり、次にこの課題を解決するための手段を説明する。
【０００８】
即ち、請求項１においては、タービンとコンプレッサとを連結したシャフトと、前記シャフトを回動可能に支持する軸受部を有する軸受ハウジングと、前記シャフトと前記軸受部との間に介装されるすべり軸受と、を具備するターボチャージャーであって、前記軸受部はアルミニウム系材料で形成され、前記シャフトは鉄鋼材料で形成され、前記すべり軸受は銅系材料で形成され、前記軸受ハウジングは、前記シャフトの軸線方向において一側となる前記タービン側に配置されると共に、前記軸線方向の一側部において前記タービンを内包するタービンハウジングと固定されるタービン側ハウジングと、前記軸線方向において他側となる前記コンプレッサ側に配置されるコンプレッサ側ハウジングと、に分割され、前記タービン側ハウジングはステンレス鋼により形成され、前記軸受部は前記コンプレッサ側ハウジングに形成され、前記タービン側ハウジングの前記軸線方向の他側部と前記コンプレッサ側ハウジングの前記軸線方向の一側部との間には、金属ガスケットが介装され、冷却水を供給するための冷却水路をさらに具備し、前記冷却水路は、前記タービン側ハウジングと前記コンプレッサ側ハウジングとに亘るように、前記金属ガスケットを跨いで形成されるものである。
【０００９】
請求項２においては、前記タービン側ハウジングの前記軸線方向の他側部及び前記コンプレッサ側ハウジングの前記軸線方向の一側部は、互いに平行な平面に形成され、互いに対向する部分の間を亘るように前記金属ガスケットが配置されるものである。
【発明の効果】
【００１１】
本発明の効果として、以下に示すような効果を奏する。
【００１２】
本発明においては、軸受部の温度が上昇した場合、アルミニウム系材料で形成された軸受部の内径が銅系材料で形成されたすべり軸受の外径よりも大きく膨張するため、当該軸受部とすべり軸受との間に介在する潤滑油量が増加し、ホワール振動を低減させることができる。また同様に、軸受部の温度が上昇した場合、銅系材料で形成されたすべり軸受の内径が鉄鋼材料で形成されたシャフトの外径よりも大きく膨張するため、当該すべり軸受とシャフトとの間に介在する潤滑油量が増加し、ホワール振動を低減させることができる。また、アルミニウム系材料で形成された軸受部内径は熱伝導率が高いため、軸受部で発生した熱を効果的に吸収・伝導し、軸受部の温度を下げる事で熱による変形や損傷等をより効果的に防止できる。
【図面の簡単な説明】
【００１５】
【図１】本発明の一実施形態に係るターボチャージャーの動作の概要を示した模式図。
【図２】同じく、ターボチャージャーの構成を示した側面断面図。
【図３】軸受ハウジングを示した斜視図。
【図４】コンプレッサ側ハウジングを示した斜視図。
【図５】（ａ）同じく、正面図。（ｂ）同じく、底面図。
【図６】同じく、背面図。
【図７】（ａ）同じく、左側面図。（ｂ）図５（ａ）におけるＡ−Ａ断面を示した図。
【図８】（ａ）図５（ａ）におけるＢ−Ｂ断面を示した図。（ｂ）同じく、Ｃ−Ｃ断面を示した図。
【図９】タービン側ハウジングを示した斜視図。
【図１０】（ａ）同じく、正面図。（ｂ）同じく、右側面図。
【図１１】同じく、背面図。
【図１２】（ａ）図１０（ａ）におけるＤ−Ｄ断面を示した図。（ｂ）同じく、Ｅ−Ｅ断面を示した図。
【図１３】（ａ）軸受ハウジングを示した正面図。（ｂ）同じく、底面図。
【図１４】同じく、左側面図。
【図１５】図１３（ａ）におけるＦ−Ｆ断面を示した図。
【図１６】図１３（ａ）におけるＧ−Ｇ断面を示した図。
【図１７】（ａ）他の実施形態に係るタービン側ハウジングを示した背面図。（ｂ）図１７（ａ）におけるＨ−Ｈ断面を示した図。
【発明を実施するための形態】
【００１６】
以下の説明においては、図中に記した矢印に従って、前後方向、上下方向及び左右方向をそれぞれ定義する。
【００１７】
まず、図１を用いて、本発明の一実施形態に係るターボチャージャー１０の動作の概要について説明する。
【００１８】
ターボチャージャー１０は、エンジンのシリンダ２に圧縮空気を送り込むものである。空気は吸気通路１を通ってシリンダ２へと供給される。当該空気は、吸気通路１の途中に配置されたエアクリーナ４、ターボチャージャー１０、インタークーラ５、及びスロットルバルブ６を順に通過してシリンダ２へと供給される。この際、ターボチャージャー１０のコンプレッサ３０によって当該空気が圧縮されるため、より多くの空気をシリンダ２内へと送り込むことができる。
【００１９】
シリンダ２内で燃焼した後の高温の空気（排気）は、排気通路３を通って排出される。この際、当該排気がターボチャージャー１０のタービン４０を回転させ、この回転がコンプレッサ３０に伝達されることで、吸気通路１内の空気を圧縮することができる。
【００２０】
また、タービン４０の上流側においては、排気通路３が分流され、当該タービン４０を通過しない通路が別途形成される。当該通路はウェイストゲートバルブ７によって開閉可能とされる。また、当該ウェイストゲートバルブ７は、アクチュエータ８によって開閉駆動される。さらに、アクチュエータ８の動作は、電磁バルブ等から構成される負圧発生機構９によって制御される。アクチュエータ８によってウェイストゲートバルブ７を開閉することで、タービン４０へと送られる排気の流量を調節することができる。
【００２１】
次に、図２を用いて、ターボチャージャー１０の構成の概要について説明する。
【００２２】
ターボチャージャー１０は、主としてシャフト２０、コンプレッサ３０、タービン４０、軸受ハウジング１００、コンプレッサハウジング６０、タービンハウジング７０、すべり軸受８０、カラーターボシール８１、スラスト軸受８２及びリテーナーシール８３を具備する。
【００２３】
シャフト２０は、その長手方向を前後方向に向けて配置される。シャフト２０の一端（後端）にはコンプレッサ３０が固定され、シャフト２０の他端（前端）にはタービン４０が固定される。このようにして、シャフト２０はコンプレッサ３０とタービン４０とを連結する。シャフト２０は鉄鋼材料により形成される。
【００２４】
軸受ハウジング１００は、シャフト２０を内包するとともに当該シャフト２０を回動可能に支持するものである。当該シャフト２０は、軸受ハウジング１００を前後方向に貫通するようにして配置され、コンプレッサ３０は軸受ハウジング１００の後方に、タービン４０は軸受ハウジング１００の前方に、それぞれ配置される。
【００２５】
コンプレッサハウジング６０は、コンプレッサ３０を内包するものである。コンプレッサハウジング６０は軸受ハウジング１００の後部に固定され、コンプレッサ３０を覆うように形成される。
【００２６】
タービンハウジング７０は、タービン４０を内包するものである。タービンハウジング７０は軸受ハウジング１００の前部に固定され、タービン４０を覆うように形成される。
【００２７】
すべり軸受８０は、シャフト２０と軸受ハウジング１００との間に介装され、当該シャフト２０を滑らかに回動させるためのものである。すべり軸受８０は銅系材料により形成される。
【００２８】
カラーターボシール８１は、すべり軸受８０の後方においてシャフト２０に挿通される。スラスト軸受８２はすべり軸受８０の後方においてカラーターボシール８１に外嵌され、リテーナーシール８３はスラスト軸受８２の後方においてカラーターボシール８１に外嵌される。
【００２９】
次に、図２から図１６までを用いて、軸受ハウジング１００の構成について説明する。
【００３０】
軸受ハウジング１００は、主としてコンプレッサ側ハウジング１１０、タービン側ハウジング１２０及び金属ガスケット１５０を具備する。当該コンプレッサ側ハウジング１１０とタービン側ハウジング１２０とを前後方向に並べて固定することで、軸受ハウジング１００が構成される。
【００３１】
図２から図８までに示すコンプレッサ側ハウジング１１０は、軸受ハウジング１００のうちコンプレッサ３０側の部分を構成する部材である。コンプレッサ側ハウジング１１０は、主として本体部１１１及びフランジ部１１２を具備する。
【００３２】
本体部１１１は、その軸線を前後方向に向けた略円柱状に形成された部分である。本体部１１１の下部には、前後方向及び左右方向に平行な平面である下面（底面）が形成される。本体部１１１には、Ｏリング溝１１１ａ、軸受部１１１ｂ及びヒートシンク部１１１ｃが形成される。
【００３３】
Ｏリング溝１１１ａは、本体部１１１の後面の略中央部に形成され、所定の深さを有する凹部である。Ｏリング溝１１１ａの断面（背面視）は略円形状となるように形成される。
【００３４】
軸受部１１１ｂは、シャフト２０を回動可能に支持する部分である。軸受部１１１ｂは、本体部１１１を前後方向に貫通するように形成された貫通孔により構成される。より詳細には、軸受部１１１ｂは、本体部１１１の前面と後述するスラスト軸受油路１４３ａとを連通するように、かつ前後方向に平行となるように形成される。
【００３５】
ヒートシンク部１１１ｃは、コンプレッサ側ハウジング１１０に伝達された熱を放出するための部分である。ヒートシンク部１１１ｃは、本体部１１１の外周面（より詳細には、本体部１１１の前後面及び当該本体部１１１の下部に形成された平面以外の面）に形成される。ヒートシンク部１１１ｃは、本体部１１１の外周面に、複数の平板状（フィン状）の部分を並べるようにして形成される。
【００３６】
フランジ部１１２は、その板面を前後方向に向けた略円板状に形成された部分である。フランジ部１１２は、本体部１１１の後端部外周に当該本体部１１１と一体的に形成される。
【００３７】
このように構成されたコンプレッサ側ハウジング１１０は、アルミダイキャスト（アルミニウム系材料を用いたダイキャスト）により形成される。
【００３８】
図２及び図３、並びに図９から図１２までに示すタービン側ハウジング１２０は、軸受ハウジング１００のうちタービン４０側の部分を構成する部材である。タービン側ハウジング１２０は、主としてフランジ部１２１及び肉厚部１２２を具備する。
【００３９】
フランジ部１２１は、その板面を前後方向に向けた略円板状に形成された部分である。
【００４０】
肉厚部１２２は、略円板状に形成されたフランジ部１２１の中央部の板厚が、他の部分の板厚よりも厚くなるように形成された部分である。より詳細には、肉厚部１２２はその軸線を前後方向に向けた略円柱状に形成され、フランジ部１２１の前面から前方へと突出するように形成される。当該肉厚部１２２は、フランジ部１２１と一体的に形成される。肉厚部１２２には貫通孔１２２ａが形成される。
【００４１】
貫通孔１２２ａは、タービン側ハウジング１２０の肉厚部１２２を前後方向に貫通するように形成される。
【００４２】
このように構成されたタービン側ハウジング１２０は、ステンレス鋼を用いた板金加工により形成される。
【００４３】
上述の如く構成されたコンプレッサ側ハウジング１１０及びタービン側ハウジング１２０において、図２及び図３、並びに図１３から図１６までに示すように、当該コンプレッサ側ハウジング１１０の前面とタービン側ハウジング１２０の後面とを当接させた状態でボルト等の締結具、または拡散接合などにより締結（固定）することで、軸受ハウジング１００が形成される。
【００４４】
この際、当該コンプレッサ側ハウジング１１０とタービン側ハウジング１２０との間には、金属製のガスケットである金属ガスケット１５０が介装され、当該コンプレッサ側ハウジング１１０とタービン側ハウジング１２０と間の液密性が保たれる。
【００４５】
また、軸受ハウジング１００のコンプレッサ側ハウジング１１０に形成される軸受部１１１ｂ内にはすべり軸受８０が挿入され、さらに当該すべり軸受８０内にシャフト２０が挿入される。このようにして、すべり軸受８０はシャフト２０と軸受ハウジング１００（より詳細には軸受部１１１ｂ）との間に介装される。
【００４６】
このように構成された軸受ハウジング１００を具備するターボチャージャー１０において、タービン４０がエンジンの排気によって回転すると、高温の排気によって軸受ハウジング１００の温度も高温となる。この際、軸受ハウジング１００の中でも排気によって回転するタービン４０に近い部分、すなわちタービン側ハウジング１２０の温度が特に高温となる。本実施形態のタービン側ハウジング１２０はステンレス鋼を用いて形成されているため熱に強く、エンジンの排気による高温に耐えることができる。
【００４７】
また、軸受ハウジング１００のうちタービン４０に近い部分をステンレス鋼で形成されたタービン側ハウジング１２０で構成することで、当該タービン側ハウジング１２０において排気による熱を遮断（遮熱）し、コンプレッサ側ハウジング１１０へ熱を伝わり難くすることができる。さらに本実施形態の如くコンプレッサ側ハウジング１１０とタービン側ハウジング１２０との間に金属ガスケット１５０を介装することで、当該金属ガスケット１５０においても遮熱することができ、よりコンプレッサ側ハウジング１１０へ熱を伝わり難くすることができる。
【００４８】
また、軸受ハウジング１００の中でもタービン４０から遠い部分、すなわちコンプレッサ側ハウジング１１０は、タービン側ハウジング１２０による遮熱作用もあるため、当該タービン側ハウジング１２０よりも高温になり難い。従って、本実施形態の如く、コンプレッサ側ハウジング１１０をステンレス鋼よりも比較的熱に弱いアルミニウム系材料を用いて形成することができる。これによって、軸受ハウジング１００の軽量化や加工性の向上を図ることができる。
【００４９】
さらに、コンプレッサ側ハウジング１１０には、熱を放出し易くするためのヒートシンク部１１１ｃが形成されているため、当該コンプレッサ側ハウジング１１０（ひいては、軸受ハウジング１００）の温度の上昇をより効果的に抑制することができる。
【００５０】
また、一般的に、すべり軸受を用いて高速で回転する部分（本実施形態においては、コンプレッサ側ハウジング１１０の軸受部１１１ｂにおいて、すべり軸受８０を介してシャフト２０が回動可能に支持されている部分）ではホワール振動が発生する場合がある。ホワール振動が発生すると、当該ホワール振動に起因して騒音（異音）が発生する場合があり、当該ホワール振動を低減させることが重要である。
【００５１】
本実施形態においては、シャフト２０が高速で回転したりタービン４０側から排気の熱が伝達されたりすることによって軸受部１１１ｂ（より詳細には、軸受部１１１ｂ並びに当該軸受部１１１ｂにおいて支持されているすべり軸受８０及びシャフト２０）の温度が上昇すると、当該軸受部１１１ｂ、すべり軸受８０及びシャフト２０はそれぞれ膨張（熱膨張）する。
【００５２】
ここで、すべり軸受８０（銅系材料）の熱膨張率はシャフト２０（鉄鋼材料）の熱膨張率よりも大きく、軸受部１１１ｂ（アルミニウム系材料）の熱膨張率はすべり軸受８０（銅系材料）の熱膨張率よりも大きい。このため、すべり軸受８０の内径はシャフト２０の外径よりも大きく膨張し、軸受部１１１ｂの内径はすべり軸受８０の外径よりも大きく膨張する。従って、すべり軸受８０とシャフト２０との間に介在する潤滑油量、及び軸受部１１１ｂとすべり軸受８０との間に介在する潤滑油量がそれぞれ増加し、ホワール振動を低減させることができる。
【００５３】
また、本実施形態の如く軸受部１１１ｂを熱伝導率の高いアルミニウム系材料で形成することによって、当該軸受部１１１ｂで発生した熱を効果的に吸収及び伝導（例えば、ヒートシンク部１１１ｃから放熱）し、当該軸受部１１１ｂの温度の上昇を抑制することができる。これによって、当該軸受部１１１ｂの熱による変形や損傷等を効果的に防止することができる。
【００５４】
なお、当該軸受部１１１ｂに潤滑油を供給するための潤滑油路１４０については後述する。
【００５５】
次に、図２から図８まで、並びに図１１から図１６までを用いて、軸受ハウジング１００に形成される冷却水路１３０及び潤滑油路１４０について説明する。
【００５６】
冷却水路１３０は、軸受ハウジング１００を冷却するための冷却水を当該軸受ハウジング１００内に供給するためのものである。冷却水路１３０は、主としてコンプレッサ側円弧状冷却水路１３１、タービン側円弧状冷却水路１３２、供給水路１３３及び排出水路１３４を具備する。
【００５７】
図４から図８までに示すコンプレッサ側円弧状冷却水路１３１は、コンプレッサ側ハウジング１１０の本体部１１１の前面に形成される溝である。コンプレッサ側円弧状冷却水路１３１は、正面視（図５参照）において軸受部１１１ｂを中心とする円形の下部が切り欠かれたような形状（円弧状）となるように形成される。コンプレッサ側円弧状冷却水路１３１は、コンプレッサ側ハウジング１１０の本体部１１１の前面に切削加工や研削加工等の機械加工を施すことによって形成される。
【００５８】
図１１及び図１２に示すタービン側円弧状冷却水路１３２は、タービン側ハウジング１２０の肉厚部の後面に形成される溝である。タービン側円弧状冷却水路１３２は、背面視（図１１参照）において貫通孔１２２ａを中心とする円形の下部が切り欠かれたような形状（円弧状）となるように形成される。当該タービン側円弧状冷却水路１３２は、コンプレッサ側ハウジング１１０に形成されたコンプレッサ側円弧状冷却水路１３１（図５参照）と重複するような形状となるように形成される。タービン側円弧状冷却水路１３２は、タービン側ハウジング１２０の肉厚部１２２の後面に切削加工や研削加工等の機械加工、又はプレス加工を施すことによって形成される。
【００５９】
図５及び図８に示す供給水路１３３は、コンプレッサ側ハウジング１１０に形成され、コンプレッサ側円弧状冷却水路１３１と当該コンプレッサ側ハウジング１１０の本体部１１１の底面とを連通するものである。より詳細には、供給水路１３３は、コンプレッサ側ハウジング１１０の本体部１１１の底面の右端部近傍と、コンプレッサ側円弧状冷却水路１３１の右端部と、を連通するように形成される。供給水路１３３は、コンプレッサ側ハウジング１１０の本体部１１１の前面（より詳細には、コンプレッサ側円弧状冷却水路１３１内）及び当該コンプレッサ側ハウジング１１０の本体部１１１の底面に切削加工や研削加工等の機械加工を施すことによって形成される。
【００６０】
図５に示す排出水路１３４は、コンプレッサ側ハウジング１１０に形成され、コンプレッサ側円弧状冷却水路１３１と当該コンプレッサ側ハウジング１１０の本体部１１１の底面とを連通するものである。より詳細には、排出水路１３４は、コンプレッサ側ハウジング１１０の本体部１１１の底面の左端部近傍と、コンプレッサ側円弧状冷却水路１３１の左端部と、を連通するように形成される。排出水路１３４は、コンプレッサ側ハウジング１１０の本体部１１１の前面（より詳細には、コンプレッサ側円弧状冷却水路１３１内）及び当該コンプレッサ側ハウジング１１０の本体部１１１の底面に切削加工や研削加工等の機械加工を施すことによって形成される。
【００６１】
図３、及び図１３から図１６までに示すように、コンプレッサ側ハウジング１１０とタービン側ハウジング１２０とを締結（固定）すると、供給水路１３３、コンプレッサ側円弧状冷却水路１３１、タービン側円弧状冷却水路１３２及び排出水路１３４が互いに連通接続され、冷却水路１３０が形成される。
【００６２】
このように形成された冷却水路１３０において、供給水路１３３を介して軸受ハウジング１００内に冷却水が供給される。当該冷却水は、供給水路１３３からコンプレッサ側円弧状冷却水路１３１の一端部（図５（ａ）における右下端部）及びタービン側円弧状冷却水路１３２の一端部（図１１における右下端部）へと供給される。
【００６３】
当該冷却水は、当該コンプレッサ側円弧状冷却水路１３１及びタービン側円弧状冷却水路１３２内を流通し、当該コンプレッサ側円弧状冷却水路１３１の他端部（図５（ａ）における左下端部）及びタービン側円弧状冷却水路１３２の他端部（図１１における左下端部）へと供給される。この際、コンプレッサ側円弧状冷却水路１３１及びタービン側円弧状冷却水路１３２は、軸受部１１１ｂ及び貫通孔１２２ａ（すなわち、シャフト２０）を中心とした円弧状となるように形成されている。従って、当該シャフト２０を介してタービン４０側から伝達される熱や当該シャフト２０が回転することによって発生する熱を効果的に冷却することができる。
【００６４】
当該冷却水は、当該コンプレッサ側円弧状冷却水路１３１の他端部及びタービン側円弧状冷却水路１３２の他端部から排出水路１３４へと供給される。当該冷却水は、排出水路１３４から軸受ハウジング１００の外部へと排出される。
【００６５】
このように、冷却水路１３０内に冷却水を循環させることで、軸受ハウジング１００の温度が上昇するのを効果的に抑制することができる。
【００６６】
潤滑油路１４０は、軸受ハウジング１００とシャフト２０との摺動部を潤滑するための潤滑油を当該軸受ハウジング１００内に供給するためのものである。潤滑油路１４０は、主として軸受部１１１ｂ、第一潤滑油路１４２及び第二潤滑油路１４３を具備する。
【００６７】
図４から図８までに示す軸受部１１１ｂは、前述の如くコンプレッサ側ハウジング１１０の本体部１１１を前後方向に貫通するように形成された貫通孔である。軸受部１１１ｂは、シャフト２０を回動可能に支持する部分であると共に、潤滑油路１４０の一部を構成する部分でもある。軸受部１１１ｂは、コンプレッサ側ハウジング１１０の前面又は後面（より詳細には、後述するスラスト軸受油路１４３ａ内）から切削加工や研削加工等の機械加工を施すことによって形成される。
【００６８】
図４、図７及び図８に示す第一潤滑油路１４２は、軸受ハウジング１００の上面と軸受部１１１ｂとを連通するものである。より詳細には、第一潤滑油路１４２は、コンプレッサ側ハウジング１１０の本体部１１１の上面（上部）の略中央部と、軸受部１１１ｂの前後略中央部と、を連通するように形成される。第一潤滑油路１４２は、コンプレッサ側ハウジング１１０の本体部１１１の上面（上部）に切削加工や研削加工等の機械加工を施すことによって形成される。
【００６９】
第一潤滑油路１４２の中途部からは、コンプレッサ側分岐油路１４２ａが分岐するように形成される。コンプレッサ側分岐油路１４２ａは、第一潤滑油路１４２の上下中途部と、後述するスラスト軸受油路１４３ａと、を連通する。コンプレッサ側分岐油路１４２ａは、後述するスラスト軸受油路１４３ａに切削加工や研削加工等の機械加工を施すことによって形成される。
【００７０】
図４から図７まで、並びに図１１及び図１２に示す第二潤滑油路１４３は、軸受ハウジング１００の下面と軸受部１１１ｂとを連通するものである。第二潤滑油路１４３は、主としてスラスト軸受油路１４３ａ、コンプレッサ側横油路１４３ｂ、タービン側縦油路１４３ｃ及び排出油路１４３ｄを具備する。
【００７１】
図６及び図７に示すスラスト軸受油路１４３ａは、コンプレッサ側ハウジング１１０の本体部１１１に形成されたＯリング溝１１１ａの内側（本体部１１１の後部）を縦方向に切り欠いて形成される溝である。より詳細には、スラスト軸受油路１４３ａは、本体部１１１の後部の略中央部（軸受部１１１ｂの後端部（コンプレッサ３０側端部））から下部に亘って、当該本体部１１１を前方向に深く切り欠くようにして形成される。スラスト軸受油路１４３ａは、コンプレッサ側ハウジング１１０の後面（より詳細には、Ｏリング溝１１１ａの内側）に切削加工や研削加工等の機械加工を施すことによって形成される。
【００７２】
図４から図７までに示すコンプレッサ側横油路１４３ｂは、コンプレッサ側ハウジング１１０の本体部１１１を前後方向に貫通するように形成される貫通孔である。より詳細には、コンプレッサ側横油路１４３ｂは、本体部１１１の前面とスラスト軸受油路１４３ａとを連通するように、かつ軸受部１１１ｂに平行となるように当該軸受部１１１ｂの下方に形成される。コンプレッサ側横油路１４３ｂは、コンプレッサ側ハウジング１１０の前面又は後面（より詳細には、スラスト軸受油路１４３ａ内）から切削加工や研削加工等の機械加工を施すことによって、又は型により鋳抜かれることによって形成される。
【００７３】
図１１及び図１２に示すタービン側縦油路１４３ｃは、タービン側ハウジング１２０の肉厚部１２２の後面を縦方向に切り欠いて形成される溝である。より詳細には、タービン側縦油路１４３ｃは、肉厚部１２２の後面の略中央部（貫通孔１２２ａ）から下部に亘って形成される。タービン側縦油路１４３ｃは、タービン側ハウジング１２０の後面に切削加工や研削加工等の機械加工、又はプレス加工を施すことによって形成される。
【００７４】
図５及び図７に示す排出油路１４３ｄは、コンプレッサ側ハウジング１１０に形成され、コンプレッサ側横油路１４３ｂと当該コンプレッサ側ハウジング１１０の本体部１１１の底面とを連通するものである。より詳細には、排出油路１４３ｄは、コンプレッサ側ハウジング１１０の本体部１１１の底面の左右中央部と、コンプレッサ側横油路１４３ｂの前後略中央部と、を連通するように形成される。排出油路１４３ｄは、コンプレッサ側ハウジング１１０の本体部１１１の底面に切削加工や研削加工等の機械加工を施すことによって形成される。
【００７５】
図３、及び図１３から図１６までに示すように、コンプレッサ側ハウジング１１０とタービン側ハウジング１２０とを締結（固定）すると、スラスト軸受油路１４３ａ、コンプレッサ側横油路１４３ｂ、タービン側縦油路１４３ｃ及び排出油路１４３ｄが互いに連通接続され、第二潤滑油路１４３が形成される。また、第一潤滑油路１４２、軸受部１１１ｂ及び第二潤滑油路１４３によって潤滑油路１４０が形成される。
【００７６】
本実施形態に係る潤滑油路１４０には、当該潤滑油路１４０の表面粗さを小さくするための加工（例えば、精密研削加工やコーティング加工等）が施される。
【００７７】
このように形成された潤滑油路１４０において、第一潤滑油路１４２を介して軸受ハウジング１００（コンプレッサ側ハウジング１１０）の上面から当該軸受ハウジング１００内に潤滑油が供給される。当該潤滑油は、第一潤滑油路１４２内を下方へと流通し、軸受部１１１ｂへと供給される。また、当該第一潤滑油路１４２内を流通する潤滑油の一部は、コンプレッサ側分岐油路１４２ａを介してコンプレッサ側ハウジング１１０のスラスト軸受油路１４３ａへと供給される。
【００７８】
軸受部１１１ｂへと供給された潤滑油は、当該軸受部１１１ｂとすべり軸受８０との間に流通し、当該すべり軸受８０の振動を減衰する。また、当該潤滑油は、すべり軸受８０の外周面に適宜形成された貫通孔から当該すべり軸受８０の内側に流通する。当該潤滑油は、すべり軸受８０とシャフト２０との間に流通し、当該すべり軸受８０とシャフト２０との相対回転を潤滑すると共に軸受部の冷却を行う。。
【００７９】
軸受部１１１ｂ、すべり軸受８０及びシャフト２０を潤滑した潤滑油は、軸受部１１１ｂの前端部（タービン４０側端部）又は後端部（コンプレッサ３０側端部）へと流通し、スラスト軸受油路１４３ａ又はタービン側縦油路１４３ｃのいずれか一方を介してコンプレッサ側横油路１４３ｂへと供給される。コンプレッサ側横油路１４３ｂへと供給された潤滑油は、排出油路１４３ｄを介してコンプレッサ側ハウジング１１０の本体部１１１の底面から軸受ハウジング１００の外部へと排出される。
【００８０】
このように、潤滑油を軸受ハウジング１００の上面から軸受部１１１ｂを介して当該軸受ハウジング１００の下面（本体部１１１の底面）へと流通させることで、当該潤滑油を重力に従って円滑に流通させることができる。また、軸受部１１１ｂの前端及び後端から潤滑油を排出することで、当該潤滑油を円滑に循環させると共に、当該潤滑油を軸受部１１１ｂの前端から後端まで確実に導くことができる。
【００８１】
以上の如く、本実施形態に係るターボチャージャー１０の軸受ハウジング１００は、タービン４０とコンプレッサ３０とを連結したシャフト２０を内包するとともに当該シャフト２０を回動可能に支持するターボチャージャー１０の軸受ハウジング１００であって、当該ターボチャージャー１０の軸受ハウジング１００は、タービン４０側に配置されるタービン側ハウジング１２０と、コンプレッサ３０側に配置されるコンプレッサ側ハウジング１１０と、に分割され、冷却水を供給するための冷却水路１３０及び潤滑油を供給するための潤滑油路１４０は、タービン側ハウジング１２０及びコンプレッサ側ハウジング１１０に機械加工を施すことで形成されるものである。
このように構成することにより、軸受ハウジング１００に形成される冷却水路１３０及び潤滑油路１４０は機械加工によって形成されるため、当該軸受ハウジング１００を鋳造によって作成する場合に中子を用いる必要が無くなり、コストの削減を図ることができる。また、鋳造する段階で砂中子による冷却水路１３０及び潤滑油路１４０を形成する必要が無くなるため、当該冷却水路１３０及び潤滑油路１４０内に砂中子の鋳砂が残留しているか否かを検査する必要が無くなる。また、軸受ハウジング１００を２つの部材に分割することで、冷却水路１３０及び潤滑油路１４０の加工性を向上させる（機械加工を施し易くする）ことができる。
【００８２】
また、潤滑油路１４０は、シャフト２０が挿通されるとともに当該シャフト２０を回動可能に支持する貫通孔である軸受部１１１ｂと、当該軸受ハウジング１００の上面と軸受部１１１ｂとを連通する第一潤滑油路１４２と、当該軸受ハウジング１００の下面と軸受部１１１ｂとを連通する第二潤滑油路１４３と、を含むものである。
このように構成することにより、潤滑油路１４０の形状を簡素化することができ、ひいては潤滑油路１４０の加工性を向上させることができる。また、潤滑油を第一潤滑油路１４２を介して軸受ハウジング１００内に供給することによって、当該潤滑油は重力に従って第一潤滑油路１４２、軸受部１１１ｂ、第二潤滑油路１４３の順に流通することになり、当該潤滑油を円滑に循環させることができる。
【００８３】
また、第二潤滑油路１４３は、軸受部１１１ｂのコンプレッサ３０側端部及びタービン４０側端部と、当該軸受ハウジング１００の下面と、をそれぞれ連通するように形成されるものである。
このように構成することにより、軸受部１１１ｂの両端部から、軸受ハウジング１００の下方へと潤滑油を排出することができ、当該潤滑油を円滑に循環させることができる。また、潤滑油を軸受部１１１ｂの両端へと確実に導くことができ、当該軸受部１１１ｂを効果的に潤滑及び冷却することができる。
【００８４】
また、タービン側ハウジング１２０のコンプレッサ側ハウジング１１０と接触する面及びコンプレッサ側ハウジング１１０のタービン側ハウジング１２０と接触する面のうち少なくとも一方には、冷却水路１３０として、シャフト２０を中心とした円弧状の円弧状冷却水路（コンプレッサ側円弧状冷却水路１３１及びタービン側円弧状冷却水路１３２）が形成されるものである。
このように構成することにより、シャフト２０の周囲を囲むように冷却水路を形成することによって、当該シャフト２０を介してタービン４０側から伝達される熱やシャフト２０が回転することによって発生する熱によって軸受ハウジング１００の温度が上昇するのを効果的に抑制することができる。
【００８５】
また、潤滑油路１４０には、表面粗さを小さくするための加工が施されるものである。
このように構成することにより、潤滑油路１４０の流動抵抗を低減することができ、ひいてはターボチャージャー１０の機械効率の向上を図ることができる。また、潤滑油が滞留し難くなるため、オイルコーキングの発生率を低減させることができる。
【００８６】
また、本実施形態に係るターボチャージャー１０の軸受ハウジング１００は、タービン４０とコンプレッサ３０とを連結したシャフト２０を内包するとともに当該シャフト２０を回動可能に支持するターボチャージャー１０の軸受ハウジング１００であって、当該ターボチャージャー１０の軸受ハウジング１００は、タービン４０側に配置されるタービン側ハウジング１２０と、コンプレッサ３０側に配置されるコンプレッサ側ハウジング１１０と、に分割され、コンプレッサ側ハウジング１１０はアルミニウム系材料により形成されるものである。
このように構成することにより、比較的低温となるコンプレッサ側ハウジング１１０をアルミニウム系材料により形成することで、軸受ハウジング１００の軽量化を図ることができる。
【００８７】
また、コンプレッサ側ハウジング１１０の外周面には、当該コンプレッサ側ハウジング１１０に伝達された熱を放出するためのヒートシンク部１１１ｃが形成されるものである。
このように構成することにより、高温の環境下に配置される（具体的には、エンジンの排気の熱や、シャフト２０の回転によって発生する熱が伝達される）軸受ハウジング１００の温度上昇を抑制することができる。
【００８８】
また、タービン側ハウジング１２０はステンレス鋼により形成されるものである。
このように、比較的高温となるタービン側ハウジング１２０をステンレス鋼により形成することで、高温による変形や損傷等を防止することができる。また、ステンレス鋼により形成されたタービン側ハウジング１２０によって遮熱することで、アルミニウム系材料で形成されたコンプレッサ側ハウジング１１０の熱による変形や損傷等を防止することができる。また、ステンレス鋼は鋳鉄に比べて表面粗さが低いため、タービン側ハウジング１２０に潤滑油が滞留し難くなり、オイルコーキングの発生率を低減させることができる。
【００８９】
また、本実施形態に係るターボチャージャー１０は、タービン４０とコンプレッサ３０とを連結したシャフト２０と、シャフト２０を回動可能に支持する軸受部１１１ｂを有する軸受ハウジング１００と、シャフト２０と軸受部１１１ｂとの間に介装されるすべり軸受８０と、を具備するターボチャージャー１０であって、軸受部１１１ｂはアルミニウム系材料で形成され、シャフト２０は鉄鋼材料で形成され、すべり軸受８０は銅系材料で形成されるものである。
このように構成することにより、軸受部１１１ｂの温度が上昇した場合、アルミニウム系材料で形成された軸受部１１１ｂの内径が銅系材料で形成されたすべり軸受８０の外径よりも大きく膨張するため、当該軸受部１１１ｂとすべり軸受８０との間に介在する潤滑油量が増加し、ホワール振動を低減させることができる。また同様に、軸受部１１１ｂの温度が上昇した場合、銅系材料で形成されたすべり軸受８０の内径が鉄鋼材料で形成されたシャフト２０の外径よりも大きく膨張するため、当該すべり軸受８０とシャフト２０との間に介在する潤滑油量が増加し、ホワール振動を低減させることができる。また、アルミニウム系材料で形成された軸受部１１１ｂ内径は熱伝導率が高いため、軸受部１１１ｂで発生した熱を効果的に吸収・伝導し、軸受部１１１ｂの温度を下げる事で熱による変形や損傷等をより効果的に防止できる。
【００９０】
また、軸受ハウジング１００は、タービン４０側に配置されるタービン側ハウジング１２０と、コンプレッサ３０側に配置されるコンプレッサ側ハウジング１１０と、に分割され、タービン側ハウジング１２０はステンレス鋼により形成され、軸受部１１１ｂはコンプレッサ側ハウジング１１０に形成されるものである。
このように、比較的高温となるタービン側ハウジング１２０をステンレス鋼により形成することで、高温による変形や損傷等を防止することができる。また、ステンレス鋼により形成された当該タービン側ハウジング１２０によって遮熱することで、アルミニウム系材料で形成された軸受部１１１ｂの熱による変形や損傷等を防止することができる。
【００９１】
また、タービン側ハウジング１２０とコンプレッサ側ハウジング１１０との間には、金属ガスケット１５０が介装されるものである。
このように、金属ガスケット１５０をタービン側ハウジング１２０とコンプレッサ側ハウジング１１０との間に介在させることによって、タービン４０側からの熱を遮熱することができ、アルミニウム系材料で形成された軸受部１１１ｂの熱による変形や損傷等をより効果的に防止することができる。
【００９２】
なお、本実施形態において、コンプレッサ側ハウジング１１０の本体部１１１に形成されるヒートシンク部１１１ｃは複数の平板状（フィン状）であるものとしたが、本発明はこれに限るものではない。すなわち、ヒートシンク部１１１ｃは、当該本体部１１１の表面積を増やすような形状であれば良く、例えばローブ形状、螺旋状、剣山状、蛇腹状等となるように形成することも可能である。
また、本実施形態において、タービン側ハウジング１２０はステンレス鋼を用いた板金加工により形成されるものとしたが、本発明はこれに限るものではなく、例えば鋳鉄を用いた鋳造により形成することも可能である。
また、本実施形態において、潤滑油路１４０に表面粗さを小さくするための加工を施すものとしたが、本発明はこれに限るものではなく、冷却水路１３０に表面粗さを小さくするための加工を施すことも可能である。これによって、当該冷却水路１３０を流通する冷却水の流動抵抗を低減することができる。
【００９３】
なお、他の実施形態として、図１７に示すように、タービン側ハウジング１２０に凹部１２１ａを形成することも可能である。
【００９４】
凹部１２１ａは、タービン側ハウジング１２０の後面に切削加工や研削加工等の機械加工又はプレス加工を施すことによって形成される。凹部１２１ａは、タービン側ハウジング１２０の後面に、可能な限り広い範囲に亘って形成される。
【００９５】
このように構成されたタービン側ハウジング１２０の後面と、コンプレッサ側ハウジング１１０（図４から図８まで参照）の前面と、を当接させた状態で互いに固定すると、当該タービン側ハウジング１２０の後面には凹部１２１ａが形成されているため、当該タービン側ハウジング１２０とコンプレッサ側ハウジング１１０との接触面積が減少する。これによって、タービン側ハウジング１２０が高温になっても、その熱がコンプレッサ側ハウジング１１０へと伝わり難くすることができ、ひいては当該コンプレッサ側ハウジング１１０の高温による変形や損傷等を防止することができる。さらに、凹部１２１ａ内には空気が介在する空間が形成されるため、当該空間（空気の層）によって、よりコンプレッサ側ハウジング１１０へと熱が伝わり難くすることができる。
【００９６】
以上の如く、本実施形態に係るターボチャージャー１０の軸受ハウジング１００は、タービン側ハウジング１２０のコンプレッサ側ハウジング１１０と接触する面（後面）には、凹部１２１ａが形成されるものである。
このように構成することにより、タービン側ハウジング１２０の熱をコンプレッサ側ハウジング１１０に伝わり難くすることができる。
【００９７】
なお、本実施形態においては、タービン側ハウジング１２０に凹部１２１ａが形成されるものとしたが、本発明はこれに限るものではない。すなわち、コンプレッサ側ハウジング１１０のタービン側ハウジング１２０と接触する面（前面）に凹部を形成する構成や、タービン側ハウジング１２０の後面及びコンプレッサ側ハウジング１１０の前面の両方に凹部を形成する構成とすることも可能である。
【符号の説明】
【００９８】
２０      シャフト
３０      コンプレッサ
４０      タービン
８０      すべり軸受
１００    軸受ハウジング
１１０    コンプレッサ側ハウジング
１１１ｂ  軸受部
１１１ｃ  ヒートシンク部
１２０    タービン側ハウジング
１３０    冷却水路
１３１    コンプレッサ側円弧状冷却水路
１３２    タービン側円弧状冷却水路
１４０    潤滑油路
１４２    第一潤滑油路
１４３    第二潤滑油路
１５０    金属ガスケット
【図１】
0005975698.tif 000002
【図２】
0005975698.tif 000003
【図３】
0005975698.tif 000004
【図４】
0005975698.tif 000005
【図５】
0005975698.tif 000006
【図６】
0005975698.tif 000007
【図７】
0005975698.tif 000008
【図８】
0005975698.tif 000009
【図９】
0005975698.tif 000010
【図１０】
0005975698.tif 000011
【図１１】
0005975698.tif 000012
【図１２】
0005975698.tif 000013
【図１３】
0005975698.tif 000014
【図１４】
0005975698.tif 000015
【図１５】
0005975698.tif 000016
【図１６】
0005975698.tif 000017
【図１７】
0005975698.tif 000018